【手続補正書】
【提出日】令和1年12月19日(2019.12.19)
【手続補正１】
【補正対象書類名】特許請求の範囲
【補正対象項目名】全文
【補正方法】変更
【補正の内容】
【特許請求の範囲】
【請求項１】
伝送端末間の通信における宛先の名称を示す第１の宛先名称情報を、ログインに用いられる識別情報に関連付けて記憶し、前記通信の予約を受け付けた伝送端末から入力された第２の宛先名称情報を、前記通信の予約に関連付けて記憶する宛先名称情報管理手段と、
前記宛先と通信可能な伝送端末から前記識別情報に基づくログイン要求を受信する受信手段と、
前記伝送端末がログイン要求に基づいてログインした後に、前記識別情報と関連付けられた前記第１の宛先名称情報を、前記宛先と対応付けて前記伝送端末に送信する送信手段と、
を有し、
前記送信手段は、前記識別情報に基づいて特定された前記通信の予約に関連付けられた前記第２の宛先名称情報を前記伝送端末に送信することを特徴とする管理システム。
【請求項２】
前記送信手段は、前記通信の予約に対応する会議情報を前記伝送端末に送信するとともに、前記伝送端末に送信した会議情報のうち、前記伝送端末において選択された会議情報に対応する前記通信の予約に関連付けられた前記第２の宛先名称情報を前記伝送端末に送信することを特徴とする請求項１に記載の管理システム。
【請求項３】
前記宛先名称情報管理手段において、前記選択された会議情報に対応する前記通信の予約に関連づけられた前記第２の宛先名称情報が記憶されていない場合に、前記識別情報に関連づけられた前記第１の宛先名称情報を前記宛先名称情報管理手段から抽出する宛先名称抽出手段を有し、
前記送信手段は、前記宛先名称抽出手段によって抽出された前記第１の宛先名称情報を、前記会議情報を選択した前記伝送端末に送信することを特徴とする請求項２に記載の管理システム。
【請求項４】
前記伝送端末に送信した前記通信の予約に対応する会議情報は少なくとも会議名、開始日時及び終了日時を含むことを特徴とする請求項２または３に記載の管理システム。
【請求項５】
前記通信の予約はテレビ会議の予約であることを特徴とする請求項１〜４の何れかに記載の管理システム。
【請求項６】
前記第１の宛先情報および前記第２の宛先名称情報は、前記伝送端末に基づく情報、又は、前記伝送端末の利用者に基づく情報であることを特徴とする請求項１〜５の何れかに記載の管理システム。 
【請求項７】
前記宛先名称情報管理手段において管理される前記第１の宛先情報および前記第２の宛先名称情報は、前記伝送端末からの、前記第１の宛先情報および前記第２の宛先名称情報の登録の要求に基づいて登録された情報であることを特徴とする請求項１〜６の何れかに記載の管理システム。
【請求項８】
伝送端末間の通信における宛先の名称を示す宛先名称情報を記憶する宛先名称情報管理手段を有する管理システムにおいて実行される管理方法であって、
伝送端末間の通信における宛先の名称を示す第１の宛先名称情報を、ログインに用いられる識別情報に関連付けて記憶し、前記通信の予約を受け付けた伝送端末から入力された第２の宛先名称情報を、前記通信の予約に関連付けて記憶するステップと、
前記宛先と通信可能な伝送端末から前記識別情報に基づくログイン要求を受信するステップと、
前記伝送端末がログイン要求に基づいてログインした後に、前記識別情報と関連付けられた第１の宛先名称情報を、前記宛先と対応付けて前記伝送端末に送信するステップと、
前記識別情報に基づいて特定された前記通信の予約に関連付けられた前記第２の宛先名称情報を前記伝送端末に送信するステップと、
を有することを特徴とする管理方法。
【請求項９】
伝送端末間の通信における宛先の名称を示す宛先名称情報を記憶する宛先名称情報管理手段を有する管理システムに、
伝送端末間の通信における宛先の名称を示す第１の宛先名称情報を、ログインに用いられる識別情報に関連付けて記憶し、前記通信の予約を受け付けた伝送端末から入力された第２の宛先名称情報を、前記通信の予約に関連付けて記憶するステップと、
前記宛先と通信可能な伝送端末から前記識別情報に基づくログイン要求を受信するステップと、
前記伝送端末がログイン要求に基づいてログインした後に、前記識別情報と関連付けられた第１の宛先名称情報を、前記宛先と対応付けて前記伝送端末に送信するステップと、
前記識別情報に基づいて特定された前記通信の予約に関連付けられた前記第２の宛先名称情報を前記伝送端末に送信するステップと、
を実行させることを特徴とするプログラム。
【請求項１０】
管理システムと、該管理システムとネットワークを介して接続された伝送端末を有する伝送システムであって、
前記管理システムは、
伝送端末間の通信における宛先の名称を示す第１の宛先名称情報を、ログインに用いられる識別情報に関連付けて記憶し、前記通信の予約を受け付けた伝送端末から入力された第２の宛先名称情報を、前記通信の予約に関連付けて記憶する宛先名称情報管理手段と、
前記宛先と通信可能な伝送端末から前記識別情報に基づくログイン要求を受信する受信手段と、
前記伝送端末がログイン要求に基づいてログインした後に、前記識別情報と関連付けられた第１の宛先名称情報を、前記宛先と対応付けて前記伝送端末に送信する送信手段と、
を有し、
前記送信手段は、前記識別情報に基づいて特定された前記通信の予約に関連付けられた前記第２の宛先名称情報を前記伝送端末に送信し、
前記伝送端末は、
前記送信手段によって送信された第１の宛先情報および前記第２の宛先名称情報を表示手段に表示させる表示制御手段を
有することを特徴とする伝送システム。 
【請求項１１】
前記第１の宛先情報および前記第２の宛先名称情報は、前記伝送端末に基づく情報、又は、前記伝送端末の利用者に基づく情報であることを特徴とする請求項１０に記載の伝送システム。
【請求項１２】
前記伝送システムはテレビ会議システムであって、前記伝送端末はテレビ会議端末であることを特徴とする請求項１０又は１１記載の伝送システム。
【請求項１３】
前記管理システムは1以上のコンピュータによって構築されていることを特徴とする請求項１０乃至１２のいずれか一項に記載の伝送システム。
【請求項１４】
伝送端末間の通信における宛先の名称を示す宛先名称情報を管理する管理システムと、該管理システムとネットワークを介して接続された伝送端末を有する伝送システムにおいて実行される方法であって、
伝送端末間の通信における宛先の名称を示す第１の宛先名称情報を、ログインに用いられる識別情報に関連付けて記憶し、前記通信の予約を受け付けた伝送端末から入力された第２の宛先名称情報を、前記通信の予約に関連付けて記憶するステップと、
前記宛先と通信可能な伝送端末から前記識別情報に基づくログイン要求を受信するステップと、
前記伝送端末がログイン要求に基づいてログインした後に、前記識別情報と関連付けられた第１の宛先名称情報を、前記宛先と対応付けて前記伝送端末に送信するステップと、
前記識別情報に基づいて特定された前記通信の予約に関連付けられた前記第２の宛先名称情報を前記伝送端末に送信するステップと、
前記伝送端末が前記管理システムによって送信された宛先名称情報を表示手段に表示させるステップと、
を有することを特徴とする方法。
【手続補正２】
【補正対象書類名】明細書
【補正対象項目名】発明の名称
【補正方法】変更
【補正の内容】
【発明の名称】管理システム、管理方法、プログラム、伝送システム、及び方法
【手続補正３】
【補正対象書類名】明細書
【補正対象項目名】０００５
【補正方法】変更
【補正の内容】
【０００５】
請求項１に係る発明は、伝送端末間の通信における宛先の名称を示す第１の宛先名称情報を、ログインに用いられる識別情報に関連付けて記憶し、前記通信の予約を受け付けた伝送端末から入力された第２の宛先名称情報を、前記通信の予約に関連付けて記憶する宛先名称情報管理手段と、前記宛先と通信可能な伝送端末から前記識別情報に基づくログイン要求を受信する受信手段と、前記伝送端末がログイン要求に基づいてログインした後に、前記識別情報と関連付けられた第１の宛先名称情報を、前記宛先と対応付けて前記伝送端末に送信する送信手段と、を有し、前記送信手段は、前記識別情報に基づいて特定された前記通信の予約に関連付けられた前記第２の宛先名称情報を前記伝送端末に送信することを特徴とする管理システムである。